(57)【要約】　　　（修正有）【課題】シールの施工スペース上の制約により、施工困難になり、通気機能の部材、あるいは下地等による制約により、通気機能が低下し、胴縁と防水紙を伝う雨水等が、土台等の下地を濡らす問題が発生する。【解決手段】柱６ａ及び間柱に防水層を施工し、その防水層と建築用パネルとを、胴縁６ｄを介して施工する通気工法に関し、壁面外の空気を壁面内へ出入り可能にする、通気機能を持つ部材と基礎及び壁面との隙間を、シール機能により閉塞する壁部材とする。【選択図】　　　　　　図１
2004137868.tif 000002
【特許請求の範囲】
【請求項１】
柱及び間柱に防水層を施工し、その防水層と建築用パネルとを、胴縁を介して施工する通気工法に関し、壁面外の空気を壁面内へ出入り可能にする、通気機能を持つ部材と基礎及び壁面との隙間を、シール機能により閉塞する事を特徴とする壁部材。
【請求項２】
前記のシール機能が、通気機能を持つ部材に嵌合するシール部材である事を特徴とする、特許請求の範囲第１項記載の壁部材。
【請求項３】
前記のシール機能が、土台に取り付けられて基礎前面の上部を覆う、シール部材である事を特徴とする、特許請求の範囲第１項記載の壁部材。
【請求項４】
前記の通気機能を持つ部材が、上方からの雨水等を壁面外に流す、水切機能を持つ事を特徴とする、特許請求の範囲第１〜３項記載の壁部材。
【請求項５】
前記のシール機能が、通気機能を持つ部材を折り曲げたシール片による事を特徴とする、特許請求の範囲第１項記載の壁部材。
【請求項６】
水切機能を持つ部材と組み合わせる事を特徴とする、特許請求の範囲第５項記載の壁部材。
【請求項７】
前記のシール機能が、通気機能を持つ部材と、建築用パネルとの間に挿入する見切シールによる事を特徴とする、特許請求の範囲第１項記載の壁部材。
【請求項８】
前記のシール機能が、通気機能を持つ部材を折り曲げたシール辺と、それに施工される建築用パネルとによる事を特徴とする、特許請求の範囲第１項記載の壁部材。
【請求項９】
特許請求の範囲第１〜８項記載の壁部材を使用する事を特徴とする壁構造。
【発明の詳細な説明】
【０００１】
【発明の属する技術分野】
この発明は、
ａ．次の壁下地に、
イ．柱及び間柱に、
ロ．防水層を施工し、
ハ．胴縁を施工し通気層を設け、
ｂ．その上に建築用パネルを複数施工する、通気工法に使用する、壁部材と壁構造に関する。
【０００２】
【従来の技術】
従来、通気工法に使用する、壁部材には、特開平１０−６１０３２号公報に示す、次の様な技術が知られている。
ａ．主柱、間柱に対応してほぼ垂直に縦胴縁が固定され、その縦胴縁に雄雌連結構造の外壁材が固定されている土台部の外壁構造において、
イ．略断面が垂直な固定片から突出して、外壁材の雌型連結部を嵌合するスタータ部と、
ロ．その固定片の下端を外方に傾斜して突出させた水切り片と、
ハ．その水切り片の先端を下方に垂下させた化粧片と、
ニ．その化粧片の下端部裏面側に、内部に掛止爪を複数形成した係止溝を形成した係止体と、
ｂ．水平な底片と、その底片の先端に係合爪切を形成した係合体の２部材からなり、
ｃ．係止体の係止溝に係合体の底片を挿入し、
イ．係止爪と係合爪との嵌合によって一体化すると共に、
ｄ．前記突出片に突出片孔を、前記底片に底片孔を複数形成した長尺状の水切り材を備え、
ｅ．水切り材の底片上に縦胴縁下端を、水切り材の固定片裏面に縦胴縁の側面をそれぞれ密着させて土台部分に配設されており、
ｆ．かつ、水切り材のスタータ部に外壁材の雌型連結部を嵌合されて、
ｇ．外壁が形成される。
【０００３】
【発明が解決しようとする課題】
従来の技術には、通気工法が多く採用される新築の場合、次の問題がある。
ａ．通常、躯体は次の構造となり、
イ．基礎上に水平に配設した土台と、
ロ．その土台上に垂直に配設した主柱、間柱と、
ハ．その主柱、間柱に対応してほぼ垂直に縦胴縁が、通気性防水シートを介して配設固定され、
ｂ．従来の技術の水切り材は、
イ．化粧片の下端部裏面側に、内部に掛止爪を複数形成した係止溝を形成した係止体と、
ロ．水平な底片と、その底片の先端に係合爪切を形成した係合体の２部材からなり、
ハ．その底片に底片孔を複数形成した長尺状の水切り材とし、
ｃ．水切り材の底片上に、縦胴縁下端を密着させて、配設され、
ｄ．水切り材には、次の主な機能があり、
イ．外壁材を伝う、雨水等を壁面外に排出し、
ロ．縦胴縁と通気性防水シートを伝う、雨水等を底片孔より壁面外に排出し、
ハ．スタータ部により外壁材の雌型連結部を嵌合し、
ニ．外気を壁面内へ流入する通路としての底片孔の機能であるが、
ｅ．水切り材の底片は、その構成により、基礎と縦胴縁下端との間に挿入されるが、
ｆ．底片と基礎との間に、隙間を広く設けると、
イ．縦胴縁と通気性防水シートを伝う雨水等を、底片孔より壁面外に出した雨水等が底片の下面を伝わり、土台等の下地を濡らす問題があり、
ｇ．基礎との間に、狭い隙間しか設けられず、
イ．基礎と縦胴縁下端との間に、底片を挿入困難になり、
ロ．係止体の係止溝と基礎とにより、底片孔が制約される問題がある。
【０００４】
【課題を解決するための手段】
この発明による壁部材は、柱及び間柱に防水層を施工し、その防水層と建築用パネルとを、胴縁を介して施工する通気工法に関し、壁面外の空気を壁面内へ出入り可能にする、通気機能を持つ部材と基礎及び壁面との隙間を、シール機能により閉塞する壁部材とする。
【０００５】
【発明の実施の形態】
Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板、
【０００６】
Ｂ．この発明に使用される釘打ち等の固定手段は、
ａ．次に代表される、固定用具を使用する。
イ．釘
ロ．タッピングビス
ハ．ホッチキス
ニ．木ネジ
ホ．ポップリベット等
【０００７】
Ｃ．この発明に使用される裏打材は、
ａ．次に代表される発泡性樹脂に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等
【０００８】
Ｄ．この発明に使用される胴縁は、
ａ．次に代表される、空気層が形成される厚みを持った長尺材を使用する。
イ．木製板材
ロ．集成板材
ハ．合板
ニ．合成樹脂板等
【０００９】
Ｅ．この発明に使用される合成樹脂は、
ａ．次に代表される合成樹脂の押し出し成形品を使用している。
イ．塩化ビニル樹脂
ロ．ポリプロピレン樹脂
ハ．ポリカーボ樹脂
ニ．アクリル樹脂
ホ．ゴム等を
【００１０】
Ｆ．この発明に使用される防水層は、
ａ．次に代表される防水紙や、
イ．アスファルトフェルト
ニ．アルミ蒸着シート等
ｂ．次に代表される透湿防水シートや、
イ．ポリエチレン多孔質フィルム
ロ．ポリエチレン不織布等
ｃ．次に代表されるボード類を使用する。
イ．シージングボード
ロ．構造用合板
ハ．石膏ボード
ニ．発泡スチレンボード等
【００１１】
【実施例】
発明の実施例について、次の、実施例１、実施例２、実施例３、実施例４、及び実施例５により、図面を参照して説明する。
【００１２】
実施例１
図１，図２，図３，図４，図５，図６，図７，図８，及び図３３は、この発明の実施例１を示すものである。
【００１３】
Ａ．図４に示す、実施例１においての水切部材２は、
ａ．長尺の金属板７を成形して、
ｂ．その一側端を表面側に折り返した、ほぼ平坦な固定片２ａを形成し、
ｃ．その他側端をクランク状に表面側に折り曲げて、さらに、くの字形に表面側に折り曲げて流水面２ｂを形成し、
ｄ．その流水面２ｂを裏面側にくの字形に折り曲げて、水切面２ｃを形成し、
ｅ．その水切面２ｃを裏面側に折り返し、さらにくの字形に表面側に折り曲げた、次の構成の防鼠片２ｄを構成し、
イ．水切部材２の長手方向にほぼ直交する、両端半円形の小判型を細長くした形状に、防鼠片２ｄの途中を繰り返して打ち抜き、多数の吸気孔２ｅを形成し、
ロ．防鼠片２ｄの先端側に断続する次の様な、複数の切起突起２ｆを持ち、
○切起突起２ｆは金属板７を、防鼠片２ｄの先端側に船底を向けた、ほぼ半裁の船形に突起させ、船縁側が切断され、金属板７のほぼ２枚分程度の段差を形成する、
ハ．防鼠片２ｄの先端を表面側に折り返している。
【００１４】
Ｂ．図５に示す、シール部材３の、実施例１においての水切シール３ａは、
ａ．長尺の硬質樹脂８ｃを押し出し成形により、一側端を断面音叉型に成形し、
イ．相対して開口する二枚の嵌合片３ｄを形成し、
ロ．その嵌合片３ｄの先端側の内面側に相対する、次の構成の複数の鋸歯突起３ｅを持ち、
ハ．その鋸歯突起３ｅは、断面が、短辺と長辺による山形で、その短辺が、ほぼ嵌合片３ｄに直交し、長辺が先端側に位置し、
ｂ．その嵌合片３ｄの音叉型の付け根を、施工に応じた長さとする、シール片３ｂを形成し、
ｃ．その先端に軟質樹脂８ｂを固着し、くさび形に尖ったシール端３ｃを形成する。
【００１５】
Ｃ．図６に示す、実施例１においての見切縁４は、
ａ．長尺の金属板７を成形して、
ｂ．その一側端を裏面側に折り返した、ほぼ平坦な固定辺４ｆを形成し、
ｃ．その他側端をＬ字形に裏面側に折り曲げて、上辺４ｅを形成し、
ｄ．その上辺４ｅをＬ字形に裏面側に折り曲げて、前辺４ａを形成し、
ｅ．その前辺４ａを裏面側に折り返し、さらに、くの字形に表面側に折り曲げた、次の構成の防鼠辺４ｂを構成し、
イ．見切縁４の長手方向にほぼ直交する、両端半円形の小判型を細長くした形状に、防鼠辺４ｂの途中を繰り返して打ち抜き、多数の通気孔４ｃを形成し、
ロ．防鼠辺４ｂの先端を表面側に折り返している。
【００１６】
Ｄ．図３３に示す、もう一種類のシール部材３である、実施例１においての見切シール３ｋは、
ａ．長尺の硬質樹脂８ｃの板を折り曲げ成形し、断面形状を高低二つのピークを持つ山形とし、
イ．その低いピーク側を挿入端３ｌとし、
ロ．高いピーク側を被覆端３ｎとし、
ハ．低いピークと高いピークとの間を凹めて、嵌合凹３ｍを形成する。
【００１７】
Ｅ．図７に示す、実施例１においてのスタート部材５は、
ａ．長尺の金属板７を成形して、
ｂ．その一側端を、裏面側に折り返し、嵌合辺５ａを形成し、
ｃ．その他側端を、裏面側にＵ字形に折り曲げ延長し、取付辺５ｂを形成し、
ｄ．嵌合辺５ａと取付辺５ｂとの間に、嵌合間隙５ｃを形成する。
【００１８】
Ｆ．図８に示す、実施例１においての建築用パネル１は、
ａ．金属板７による表面材１ａを成形して、
ｂ．ほぼ平坦な前面基部１ｂを構成し、
ｃ．その前面基部１ｂの一側端を、
イ．裏面側に折り狭め、
ロ．さらに、クランク状に表面側に折り曲げて、
ハ．そして、Ｕ字形に表面側に折り返し、
ニ．その上、その先端を裏面側に折り狭めた差込片１ｄを持つ、差込部１ｃを形成し、
ｄ．前記、前面基部１ｂの他側端を、
イ．二段階のクランク状に裏面側に折り曲げ、
ロ．そして、Ｕ字形に裏面側に折り曲げて、
ハ．さらに、Ｕ字形に表面側に折り返した嵌合溝１ｆと、
ニ．その嵌合溝１ｆを延長し、先端を表面側に折り狭めた釘打片１ｇとを持つ、釘打部１ｅを形成し、
ｅ．そして、その成形した表面材１ａの裏面側に、
イ．裏面紙１ｉにより覆われた硬質発泡樹脂８ｄによる、裏打材１ｈを形成し、
ｆ．その長手方向の両端を切断して、切断端１ｊを形成する。
【００１９】
Ｇ．図１，図２，及び図３に示す、実施例１の、建築用パネル１とその部材は、次の様に施工する。
ａ．次のように施工された下地６に、
イ．基礎６ｂの上に、土台６ｃを水平に固定し、
ロ．その土台６ｃの上に、柱６ａを、間隔を開けて複数垂直に立てて、
ハ．その柱６ａの上に、軒桁６ｆを水平に架けて、
ニ．その軒桁６ｆに屋根勾配に合わせて切り込みを入れ、その切り込みに垂木６ｇを乗せて、
ホ．その垂木６ｇの上面に、野地板６ｊを施工し、
ヘ．また、軒桁６ｆ付近の柱６ａに水平に、軒桁６ｆに対する平行方向と直角方向に野縁６ｉを取り付けて、
ト．その野縁６ｉの下面に軒天６ｈを取り付けて、
ｂ．樹脂シート８ａによる防水紙６ｅを、軒桁６ｆから基礎６ｂの前面上部まで柱６ａに、複数の防水紙６ｅを施工し、
ｃ．軒天６ｈと柱６ａとのコーナーに、前記の見切縁４を次のように施工し、
イ．見切縁４の上辺４ｅを、軒天６ｈに合わせて、
ロ．見切縁４の固定辺４ｆを、柱６ａに防水紙６ｅを挟み、釘打ち等により固定し、
ｄ．また、胴縁６ｄを複数の柱６ａに、次のように垂直に取付施工し、
イ．その固定した見切縁４の固定辺４ｆに、胴縁６ｄの上端を重ねて、
ロ．基礎６ｂから所定の間隔を開けた位置の、前記の土台６ｃの上に、その下端を位置付けて、
ハ．防水紙６ｅを挟み、柱６ａに釘打ち等により取付施工し、
ｅ．前記の水切部材２に前記の水切シール３ａを、次のように取り付け、
イ．その水切部材２の防鼠片２ｄの先端に、その水切シール３ａの嵌合片３ｄを被せて押し込み、
ロ．防鼠片２ｄの切起突起２ｆと、嵌合片３ｄの鋸歯突起３ｅとを噛み合わせて、接合し、
ｆ．その水切シール３ａを取り付けた水切部材２を、次のように施工し、
イ．前記の施工した胴縁６ｄの下端の所定位置に水平に、
ロ．その水切部材２の固定片２ａを釘打ち等により固定し、
ハ．取り付けた水切シール３ａのシール端３ｃを、基礎６ｂの表面に、押しつけて密着させ、
ｇ．その水切部材２に前記のスタート部材５を次のように施工し、
イ．水切部材２の流水面２ｂの上段に、スタート部材５の嵌合辺５ａの底部を乗せて、
ロ．水切部材２の固定片２ａに、スタート部材５の取付辺５ｂを重ねて、釘打ち等により固定し、
ｈ．建築用パネル１を、
イ．固定したスタート部材５の嵌合間隙５ｃに、建築用パネル１の差込片１ｄを差し込み、その釘打片１ｇを釘打ち等により固定し、
ロ．固定した建築用パネル１の嵌合溝１ｆに、他の建築用パネル１の差込片１ｄを差込み、その釘打片１ｇを釘打ち等により固定し、
ハ．上記を繰り返して、前記の建築用パネル１を複数施工し、
ニ．未施工の壁面が建築用パネル１の幅以下になったとき、次のように、切断した建築用パネル１を施工し、
○前記の施工した見切縁４に入り、その上辺４ｅとの間に隙間を開けた幅に切断し、
○その建築用パネル１の差込片１ｄを、固定した建築用パネル１の嵌合溝１ｆに差し込み、
○その前面基部１ｂを釘打ち等により固定し、
ｉ．見切縁４と、固定した建築用パネル１との隙間に、次のように前記の見切シール３ｋを取り付けて、
イ．その見切シール３ｋの挿入端３ｌを、見切縁４の防鼠辺４ｂの先端と、建築用パネル１の前面基部１ｂとの隙間に挿入し、
ロ．弾性変形により、その隙間を拡大し、
ハ．やがて、見切縁４の防鼠辺４ｂの先端が、見切シール３ｋの嵌合凹３ｍに嵌り込み固定され、
ニ．見切シール３ｋの被覆端３ｎにより、次のように、
○見切縁４の防鼠辺４ｂの先端と、建築用パネル１の前面基部１ｂとの隙間や、
○建築用パネル１の前面基部１ｂに釘打ちした、釘頭等を被覆し、
ｊ．上記の施工により、外気と壁面内においての空気の流れである、通気流９は、次のように流れ、
イ．施工された建築用パネル１が、太陽光等により加熱され、胴縁６ｄと他の胴縁６ｄと、建築用パネル１と防水紙６ｅとにより区切られる、空間内の空気が加熱されて軽くなり、壁面内に上方への通気流９が発生し、
ロ．その上方への通気流９により、見切縁４の通気孔４ｃから、壁面外に排出する通気流９を発生し、
ハ．その壁面外に排出された通気流９を補い、水切部材２の吸気孔２ｅから、壁面内に流れ込む通気流９が発生する。
【００２０】
実施例２
図７，図８，図９，図１０，図１１，図１２，図１３，図１４，及び図３４は、この発明の実施例２を示すものである。
【００２１】
Ａ．図１２に示す、実施例２においての水切部材２は、
ａ．長尺の金属板７を成形して、実施例１の水切部材２における、防鼠片２ｄの切起突起２ｆを除いた構成とする。
【００２２】
Ｂ．図１３に示す、シール部材３の、実施例２においての水切シール３ａは、
ａ．長尺の金属板７を成形して、
ｂ．その一側端を表面側に折り返した、ほぼ平坦な固定端３ｈを形成し、
ｃ．その他側端をクランク状に表面側に折り曲げて、シール片３ｂを形成し、
ｄ．そのシール片３ｂを、くの字形に表面側に折り曲げて、先端を表面側に折り返したシール端３ｃを形成している。
【００２３】
Ｃ．図１４に示す、実施例２においての見切縁４は、
ａ．長尺の金属板７を成形して、実施例１の見切縁４において、
イ．その上辺４ｅを胴縁６ｄの厚さ分、高さを減じ、
ロ．見切縁４の長手方向にほぼ直交する、両端半円形の小判型を細長くした形状に、その固定辺４ｆの上辺４ｅ側を繰り返して打ち抜き、多数の換気口４ｇを形成する、構成としている。
【００２４】
Ｄ．図３４に示す、もう一種類のシール部材３である、実施例２においての見切シール３ｋは、
ａ．軟質樹脂８ｂを押出成形し、ほぼム字形の断面形状を持つ長尺部材とし、
イ．軟質樹脂８ｂによる板状の継板３ｏを形成し、
ロ．その継板３ｏの一側端を鋭角的に裏面側に折り曲げて、くさび形に尖った挿入端３ｌとし、
ハ．継板３ｏの他側端を鋭角的に裏面側に折り曲げて、くさび形に尖った挿入端３ｌより幅広の被覆端３ｎとしている。
ニ．挿入端３ｌと被覆端３ｎとの間を凹めて、嵌合凹３ｍを形成する。
【００２５】
Ｅ．図７に示す、実施例２においてのスタート部材５は、実施例１と同じものである。
【００２６】
Ｆ．図８に示す、実施例２においての建築用パネル１は、実施例１と同じものである。
【００２７】
Ｇ．図９，図１０，及び図１１に示す、実施例２においての、建築用パネル１とその部材は、次の様に施工する。
ａ．次のように施工された下地６に、
イ．基礎６ｂの上に、土台６ｃを水平に固定し、
ロ．その土台６ｃの上に、間隔を開けて柱６ａを複数垂直に立てて、
ハ．その柱６ａの上に、軒桁６ｆを水平に架けて、
ニ．その軒桁６ｆに屋根勾配に合わせて切り込みを入れ、その切り込みに垂木６ｇを乗せて、
ホ．その垂木６ｇの上面に、野地板６ｊを施工し、
ｂ．また、水切シール３ａを、次のように水平に取付施工し、
○基礎６ｂから所定の間隔を開けた位置の、前記の土台６ｃの上に、水切シール３ａの固定端３ｈの下端を位置付けて、
ｃ．その水切シール３ａの固定端３ｈに、樹脂シート８ａによる防水紙６ｅを被せて、軒桁６ｆまで柱６ａに、複数の防水紙６ｅを施工し、
ｄ．また、胴縁６ｄを複数の柱６ａに、次のように垂直に取付施工し、
イ．その固定した水切シール３ａのシール片３ｂ上に、胴縁６ｄの下端を合わせて、
ロ．垂木６ｇの下面近辺に、その上端を位置付けて、
ハ．防水紙６ｅを挟み、柱６ａに釘打ち等により取付施工し、
ｅ．軒桁６ｆ付近の胴縁６ｄに水平に、軒桁６ｆに対する平行方向と直角方向に野縁６ｉを取り付けて、
イ．その野縁６ｉの下面に軒天６ｈを取り付けて、
ｆ．軒天６ｈと胴縁６ｄとのコーナーに、前記の見切縁４を次のように施工し、
イ．見切縁４の上辺４ｅを、軒天６ｈに合わせて、
ロ．柱６ａに、見切縁４の固定辺４ｆを釘打ち等により固定し、
ｇ．次の様に、前記の水切部材２を前記の水切シール３ａに沿って、次のように取り付け、
イ．その水切部材２の防鼠片２ｄの先端に、その水切シール３ａのシール端３ｃを接近し、あるいは接触して、
ｈ．その水切部材２に前記のスタート部材５を次のように施工し、
イ．水切部材２の流水面２ｂの上段に、スタート部材５の嵌合辺５ａの底部を乗せて、
ロ．水切部材２の固定片２ａに、スタート部材５の取付辺５ｂを重ねて、釘打ち等により固定し、
ｉ．建築用パネル１を、
イ．固定したスタート部材５の嵌合間隙５ｃに、建築用パネル１の差込片１ｄを差し込み、その釘打片１ｇを釘打ち等により固定し、
ロ．固定した建築用パネル１の嵌合溝１ｆに、他の建築用パネル１の差込片１ｄを差込み、その釘打片１ｇを釘打ち等により固定し、
ハ．上記を繰り返して、前記の建築用パネル１を複数施工し、
ニ．未施工の壁面が建築用パネル１の幅以下になったとき、次のように、切断した建築用パネル１を施工し、
○前記の施工した見切縁４に入り、その上辺４ｅとの間に隙間を開けた幅に切断し、
○その建築用パネル１の差込片１ｄを、固定した建築用パネル１の嵌合溝１ｆに差し込み、
○その前面基部１ｂを釘打ち等により固定し、
ｊ．見切縁４と、固定した建築用パネル１との隙間に、次のように前記の見切シール３ｋを取り付けて、
イ．その見切シール３ｋの挿入端３ｌを、見切縁４の防鼠辺４ｂの先端と、建築用パネル１の前面基部１ｂとの隙間に挿入し、
ロ．弾性変形により、その隙間を拡大し、
ハ．やがて、見切縁４の防鼠辺４ｂの先端が、見切シール３ｋの嵌合凹３ｍに嵌り込み、そのくさび形の挿入端３ｌが引っ掛かり固定され、
ニ．見切シール３ｋの被覆端３ｎにより、次のように、
○見切縁４の防鼠辺４ｂの先端と、建築用パネル１の前面基部１ｂとの隙間や、
○建築用パネル１の前面基部１ｂに釘打ちした、釘頭等を被覆し、
ｋ．上記の施工により、外気と壁面内においての空気の流れである、通気流９は、次のように流れ、
イ．施工された建築用パネル１が、太陽光等により加熱され、胴縁６ｄと他の胴縁６ｄと、建築用パネル１と防水紙６ｅとにより区切られる、空間内の空気が加熱されて軽くなり、壁面内に上方への通気流９が発生し、
ロ．その上方への通気流９が軒天６ｈと野地板６ｊとの空間を通じて、小屋裏を通り、棟から屋外に排出する通気流９を発生し、
ハ．その屋外に排出する通気流９に吸い込まれて、見切縁４の通気孔４ｃから、換気口４ｇを通じ、屋根構造内に流れ込む通気流９を発生し、
ニ．また壁面内の上方への通気流９を補い、水切部材２の吸気孔２ｅから、壁面内に流れ込む通気流９が発生する。
【００２８】
実施例３
図７，図８，図１５，図１６，図１７，図１８，図１９，及び図２０は、この発明の実施例３を示すものである。
【００２９】
Ａ．図１８に示す、実施例３においての水切部材２は、
ａ．長尺の金属板７を成形して、
ｂ．その一側端を表面側に折り返した、ほぼ平坦な固定片２ａを形成し、
ｃ．その他側端をクランク状に表面側に折り曲げて、さらに、くの字形に表面側に折り曲げて流水面２ｂを形成し、
ｄ．その流水面２ｂを裏面側にくの字形に折り曲げて、水切面２ｃを形成し、
ｅ．その水切面２ｃを裏面側に折り返し、さらにくの字形に表面側に折り曲げた、次の構成の防鼠片２ｄを構成し、
イ．水切部材２の長手方向にほぼ直交する、両端半円形の小判型を細長くした形状に、防鼠片２ｄの途中を繰り返して打ち抜き、多数の吸気孔２ｅを形成し、
ロ．その防鼠片２ｄを、先端が小円弧を呈した鋭角的に、裏面側に折り返し、さらに、Ｕ字形に表面側に折り返した、嵌合隙溝２ｇを持ち、
ハ．その嵌合隙溝２ｇを、さらに緩くの字形に裏面側に折り曲げ、そして表面側に折り返して係止片２ｈを形成している。
【００３０】
Ｂ．図１９に示す、シール部材３の、実施例３においての水切シール３ａは、
ａ．長尺の硬質樹脂８ｃを押し出し成形により、一側端に次の構成の差込端３ｆを形成し、
イ．先端が尖った三角形の断面を形成し、
ロ．その両面に、次の構成の複数の鋸歯突条３ｇを持ち、
ハ．その鋸歯突条３ｇは、断面が、短辺と長辺による山形で、その短辺が、ほぼ差込端３ｆに直交し、長辺が先端側に位置し、
ｂ．その差込端３ｆの付け根を、施工に応じた長さとする、シール片３ｂを形成し、
ｃ．その先端に軟質樹脂８ｂを固着し、くさび形に尖ったシール端３ｃを形成する。
【００３１】
Ｃ．図２０に示す、実施例３においての見切縁４は、
ａ．長尺の金属板７を成形して、
ｂ．その一側端を表面側に折り返した、ほぼ平坦な固定辺４ｆを形成し、
ｃ．その固定辺４ｆをコの字形に表面側に折り曲げて、シール辺４ｄを形成し、
ｄ．そのシール辺４ｄを裏面側にくの字形に折り曲げて、次の構成の防鼠辺４ｂを構成し、
イ．見切縁４の長手方向にほぼ直交する、両端半円形の小判型を細長くした形状に、防鼠辺４ｂの途中を繰り返して打ち抜き、多数の通気孔４ｃを形成し、
ｅ．その防鼠辺４ｂを裏面側に鋭角的に折り曲げて、前辺４ａを形成し、
ｆ．その前辺４ａをＬ字形に裏面側に折り曲げて、上辺４ｅを形成している。
【００３２】
Ｄ．図７に示す、実施例３においてのスタート部材５は、実施例１と同じものである。
【００３３】
Ｅ．図８に示す、実施例３においての建築用パネル１は、実施例１と同じものである。
【００３４】
Ｆ．図１５，図１６，及び図１７に示す、実施例３においての、建築用パネル１とその部材は、次の様に施工する。
ａ．次のように施工された下地６に、
イ．基礎６ｂの上に、土台６ｃを水平に固定し、
ロ．その土台６ｃの上に、柱６ａを、間隔を開けて複数垂直に立てて、
ハ．その柱６ａの上に、軒桁６ｆを水平に架けて、
ニ．その軒桁６ｆに屋根勾配に合わせて切り込みを入れ、その切り込みに垂木６ｇを乗せて、
ホ．その垂木６ｇの上面に、野地板６ｊを施工し、
ｂ．柱６ａに、樹脂シート８ａによる複数の防水紙６ｅを被せて、基礎６ｂの前面上部から軒桁６ｆまで施工し、
ｃ．また、胴縁６ｄを複数の柱６ａに、次のように垂直に取付施工し、
イ．基礎６ｂから所定の間隔を開けた位置の、前記の土台６ｃの上に、その下端を位置付けて、
ロ．垂木６ｇの下面近辺に、その上端を位置付けて、
ハ．防水紙６ｅを挟み、柱６ａに釘打ち等により取付施工し、
ｄ．垂木６ｇの下面に、垂木６ｇに対する平行方向と直角方向に野縁６ｉを取り付けて、
イ．その野縁６ｉの下面に軒天６ｈを取り付けて、
ｅ．軒天６ｈと胴縁６ｄとのコーナーに、前記の見切縁４を次のように施工し、
イ．見切縁４の上辺４ｅと前辺４ａとの角を、軒天６ｈに合わせて、
ロ．柱６ａに、見切縁４の固定辺４ｆを釘打ち等により固定し、
ｆ．前記の水切部材２に前記の水切シール３ａを、次のように取り付け、
イ．その水切部材２の嵌合隙溝２ｇに、その水切シール３ａの差込端３ｆを差し込み、
ロ．嵌合隙溝２ｇの係止片２ｈに、差込端３ｆの鋸歯突条３ｇを引っ掛けて、接合し、
ｇ．その水切シール３ａを取り付けた水切部材２を、次のように施工し、
イ．前記の施工した胴縁６ｄの下端の所定位置に水平に、
ロ．その水切部材２の固定片２ａを釘打ち等により固定し、
ハ．取り付けた水切シール３ａのシール端３ｃを、基礎６ｂの表面に、押しつけて密着させ、
ｈ．その水切部材２に前記のスタート部材５を次のように施工し、
イ．水切部材２の流水面２ｂの上段に、スタート部材５の嵌合辺５ａの底部を乗せて、
ロ．水切部材２の固定片２ａに、スタート部材５の取付辺５ｂを重ねて、釘打ち等により固定し、
ｉ．建築用パネル１を、
イ．固定したスタート部材５の嵌合間隙５ｃに、建築用パネル１の差込片１ｄを差し込み、その釘打片１ｇを釘打ち等により固定し、
ロ．固定した建築用パネル１の嵌合溝１ｆに、他の建築用パネル１の差込片１ｄを差込み、その釘打片１ｇを釘打ち等により固定し、
ハ．上記を繰り返して、前記の建築用パネル１を複数施工し、
ニ．未施工の壁面が建築用パネル１の幅以下になったとき、次のように、切断した建築用パネル１を施工し、
○前記の施工した見切縁４に入る幅に切断し、
○その建築用パネル１の差込片１ｄを、固定した建築用パネル１の嵌合溝１ｆに差し込み、
○その前面基部１ｂを釘打ち等により固定し、
ｊ．上記の施工により、外気と壁面内においての空気の流れである、通気流９は、次のように流れ、
イ．施工された建築用パネル１が、太陽光等により加熱され、胴縁６ｄと他の胴縁６ｄと、建築用パネル１と防水紙６ｅとにより区切られる、空間内の空気が加熱されて軽くなり、壁面内に上方への通気流９が発生し、
ロ．その上方への通気流９が軒天６ｈと野地板６ｊとの空間を通じて、小屋裏を通り、棟から屋外に排出する通気流９を発生し、
ハ．その屋外に排出する通気流９に吸い込まれて、見切縁４の通気孔４ｃから、屋根構造内に流れ込む通気流９を発生し、
ニ．また壁面内の上方への通気流９を補い、水切部材２の吸気孔２ｅから、壁面内に流れ込む通気流９が発生する。
【００３５】
実施例４
図７，図８，図２１，図２２，図２３，図２４，図２５，及び図２６は、この発明の実施例４を示すものである。
【００３６】
Ａ．図２４に示す、実施例４においての水切部材２は、
ａ．長尺の金属板７を成形して、
ｂ．その一側端を表面側に折り返した、ほぼ平坦な固定片２ａを形成し、
ｃ．その他側端をクランク状に表面側に折り曲げて、さらに、くの字形に表面側に折り曲げて流水面２ｂを形成し、
ｄ．その流水面２ｂを裏面側にくの字形に折り曲げて、先端を裏面側に折り返した、水切面２ｃを形成している。
【００３７】
Ｂ．図２５に示す、シール部材３の、実施例４においての水切シール３ａは、
ａ．長尺の金属板７を成形して、
ｂ．一側端に固定端３ｈを形成し、
ｃ．その固定端３ｈの他側を次のような防鼠面３ｉとし、
イ．その防鼠面３ｉの長手方向にほぼ直交する、両端半円形の小判型を細長くした形状に、繰り返して打ち抜き、多数の吸気口３ｊを形成し、
ｄ．さらに、その防鼠面３ｉを、くの字形に裏面側に折り曲げて、シール片３ｂを形成し、
ｅ．そのシール片３ｂの先端に軟質樹脂８ｂを固着し、くさび形に尖ったシール端３ｃを形成する。
【００３８】
Ｃ．図２６に示す、実施例４においての見切縁４は、
ａ．長尺の金属板７を成形して、
ｂ．その一側端を表面側に折り返した、ほぼ平坦な固定辺４ｆを形成し、
ｃ．その固定辺４ｆをコの字形に表面側に折り曲げて、シール辺４ｄを形成し、
ｄ．そのシール辺４ｄを、先端が小円弧を呈した鋭角的に、裏面側に折り曲げてくの字形に裏面側に折り曲げて、前辺４ａを形成し、
ｅ．その前辺４ａを、くの字形に裏面側に折り曲げて、次の構成の防鼠辺４ｂを構成し、
イ．見切縁４の長手方向にほぼ直交する、両端半円形の小判型を細長くした形状に、防鼠辺４ｂの途中を繰り返して打ち抜き、多数の通気孔４ｃを形成し、
ｆ．その防鼠片２ｄを裏面側に、くの字形に折り曲げて、上辺４ｅを形成している。
【００３９】
Ｄ．図７に示す、実施例４においてのスタート部材５は、実施例１と同じものである。
【００４０】
Ｅ．図８に示す、実施例４においての建築用パネル１は、実施例１と同じものである。
【００４１】
Ｆ．図２１，図２２，及び図２３に示す、実施例４においての、建築用パネル１とその部材は、次の様に施工する。
ａ．次のように施工された下地６に、
イ．基礎６ｂの上に、土台６ｃを水平に固定し、
ロ．その土台６ｃの上に、柱６ａを、間隔を開けて複数垂直に立てて、
ハ．その柱６ａの上に、軒桁６ｆを水平に架けて、
ニ．その軒桁６ｆに屋根勾配に合わせて切り込みを入れ、その切り込みに垂木６ｇを乗せて、
ホ．その垂木６ｇの上面に、野地板６ｊを施工し、
ｂ．柱６ａに、樹脂シート８ａによる複数の防水紙６ｅを被せて、基礎６ｂの前面上部から軒桁６ｆまで施工し、
ｃ．また、胴縁６ｄを複数の柱６ａに、次のように垂直に取付施工し、
イ．基礎６ｂから所定の間隔を開けた位置の、前記の土台６ｃの上に、その下端を位置付けて、
ロ．垂木６ｇの下面近辺に、その上端を位置付けて、
ハ．防水紙６ｅを挟み、柱６ａに釘打ち等により取付施工し、
ｄ．垂木６ｇの下面に、垂木６ｇに対する平行方向と直角方向に野縁６ｉを取り付けて、
イ．その野縁６ｉの下面に軒天６ｈを取り付けて、
ｅ．軒天６ｈと胴縁６ｄとのコーナーに、前記の見切縁４を次のように施工し、
イ．見切縁４の上辺４ｅと防鼠辺４ｂとの角を、軒天６ｈに合わせて、
ロ．柱６ａに、見切縁４の固定辺４ｆを釘打ち等により固定し、
ｆ．前記の水切シール３ａを、次のように取り付け、
イ．前記の施工した胴縁６ｄの下端の所定位置に水平に、
ロ．その水切シール３ａの固定端３ｈを釘打ち等により固定し、
ハ．取り付けた水切シール３ａのシール端３ｃを、基礎６ｂの表面に、押しつけて密着させ、
ｇ．その水切シール３ａに重ねて、水切部材２を、次のように施工し、
イ．前記の施工した胴縁６ｄの下端の所定位置に水平に、
ロ．その水切部材２の固定片２ａを釘打ち等により固定し、
ｈ．その水切部材２に前記のスタート部材５を次のように施工し、
イ．水切部材２の流水面２ｂの上段に、スタート部材５の嵌合辺５ａの底部を乗せて、
ロ．水切部材２の固定片２ａに、スタート部材５の取付辺５ｂを重ねて、釘打ち等により固定し、
ｉ．建築用パネル１を、
イ．固定したスタート部材５の嵌合間隙５ｃに、建築用パネル１の差込片１ｄを差し込み、その釘打片１ｇを釘打ち等により固定し、
ロ．固定した建築用パネル１の嵌合溝１ｆに、他の建築用パネル１の差込片１ｄを差込み、その釘打片１ｇを釘打ち等により固定し、
ハ．上記を繰り返して、前記の建築用パネル１を複数施工し、
ニ．未施工の壁面が建築用パネル１の幅以下になったとき、次のように、切断した建築用パネル１を施工し、
○前記の施工した見切縁４に入る幅に切断し、
○その建築用パネル１の差込片１ｄを、固定した建築用パネル１の嵌合溝１ｆに差し込み、
○その前面基部１ｂを釘打ち等により固定し、
ｊ．上記の施工により、外気と壁面内においての空気の流れである、通気流９は、次のように流れ、
イ．施工された建築用パネル１が、太陽光等により加熱され、胴縁６ｄと他の胴縁６ｄと、建築用パネル１と防水紙６ｅとにより区切られる、空間内の空気が加熱されて軽くなり、壁面内に上方への通気流９が発生し、
ロ．その上方への通気流９が軒天６ｈと野地板６ｊとの空間を通じて、小屋裏を通り、棟から屋外に排出する通気流９を発生し、
ハ．その屋外に排出する通気流９に吸い込まれて、見切縁４の通気孔４ｃから、屋根構造内に流れ込む通気流９を発生し、
ニ．また壁面内の上方への通気流９を補い、シール部材３の吸気口３ｊから、壁面内に流れ込む通気流９が発生する。
【００４２】
実施例５
図７，図８，図２７，図２８，図２９，図３０，図３１，及び図３２は、この発明の実施例５を示すものである。
【００４３】
Ａ．図３０に示す、実施例５においての水切部材２は、
ａ．長尺の金属板７を成形して、
ｂ．その一側端を表面側に折り返した、ほぼ平坦な固定片２ａを形成し、
ｃ．その他側端をクランク状に表面側に折り曲げて、さらに、くの字形に表面側に折り曲げて、比較的狭い流水面２ｂを形成し、
ｄ．その流水面２ｂを裏面側にくの字形に折り曲げて、先端を裏面側に折り返した、水切面２ｃを形成している。
【００４４】
Ｂ．図３１に示す、シール部材３の、実施例５においての水切シール３ａは、
ａ．長尺の金属板７を成形して、
ｂ．一側端に固定端３ｈを形成し、
ｃ．その固定端３ｈの他側を次のような防鼠面３ｉとし、
イ．その防鼠面３ｉの長手方向にほぼ直交する、両端半円形の小判型を細長くした形状に、繰り返して打ち抜き、多数の吸気口３ｊを形成し、
ｄ．さらに、その防鼠面３ｉを、くの字形に裏面側に折り曲げて、シール片３ｂを形成し、
ｅ．そのシール片３ｂの先端を裏面側に折り返した、シール端３ｃを形成する。
【００４５】
Ｃ．図３２に示す、実施例５においての見切縁４は、
ａ．長尺の金属板７を成形して、
ｂ．その一側端を裏面側に折り返した、ほぼ平坦な固定辺４ｆを形成し、
ｃ．その固定辺４ｆをＬ字形に裏面側に折り曲げて、上辺４ｅを形成し、
ｄ．上辺４ｅを、くの字形に裏面側に折り曲げて、次の構成の防鼠辺４ｂを構成し、
イ．見切縁４の長手方向にほぼ直交する、両端半円形の小判型を細長くした形状に、防鼠辺４ｂの途中を繰り返して打ち抜き、多数の通気孔４ｃを形成し、
ｅ．その防鼠片２ｄを裏面側に、くの字形に折り曲げて、さらに、くの字形に裏面側に折り曲げて、先端を裏面側に折り返した、前辺４ａを形成している。
【００４６】
Ｄ．図７に示す、実施例５においてのスタート部材５は、実施例１と同じものである。
【００４７】
Ｅ．図８に示す、実施例５においての建築用パネル１は、実施例１と同じものである。
【００４８】
Ｆ．図２７，図２８，及び図２９に示す、実施例５の、建築用パネル１とその部材は、次の様に施工する。
ａ．次のように施工された下地６に、
イ．基礎６ｂの上に、土台６ｃを水平に固定し、
ロ．その土台６ｃの上に、柱６ａを、間隔を開けて複数垂直に立てて、
ハ．その柱６ａの上に、軒桁６ｆを水平に架けて、
ニ．その軒桁６ｆに屋根勾配に合わせて切り込みを入れ、その切り込みに垂木６ｇを乗せて、
ホ．その垂木６ｇの上面に、野地板６ｊを施工し、
ヘ．軒桁６ｆ付近の柱６ａに水平に、軒桁６ｆに対する平行方向と直角方向に野縁６ｉを取り付けて、
ト．その野縁６ｉの下面に軒天６ｈを取り付けて、
ｂ．樹脂シート８ａによる防水紙６ｅを、軒桁６ｆから基礎６ｂの前面上部まで柱６ａに、複数の防水紙６ｅを施工し、
ｃ．軒天６ｈと柱６ａとのコーナーに、前記の見切縁４を次のように施工し、
イ．見切縁４の上辺４ｅを、軒天６ｈに合わせて、
ロ．柱６ａに、見切縁４の固定辺４ｆを釘打ち等により固定し、
ｄ．また、胴縁６ｄを複数の柱６ａに、次のように垂直に取付施工し、
イ．その固定した見切縁４の固定辺４ｆに、胴縁６ｄの上端を重ねて、
ロ．基礎６ｂから所定の間隔を開けた位置の、前記の土台６ｃの上に、その下端を位置付けて、
ハ．防水紙６ｅを挟み、柱６ａに釘打ち等により取付施工し、
ｅ．前記の水切シール３ａを、次のように取り付け、
イ．前記の施工した胴縁６ｄの下端の所定位置に水平に、
ロ．その水切シール３ａの固定端３ｈを釘打ち等により固定し、
ハ．取り付けた水切シール３ａのシール端３ｃを、基礎６ｂの表面に、押しつけて密着させ、
ｆ．その水切シール３ａに重ねて、水切部材２を、次のように施工し、
イ．前記の施工した胴縁６ｄの下端の所定位置に水平に、
ロ．その水切部材２の固定片２ａを釘打ち等により固定し、
ｇ．その水切部材２に前記のスタート部材５を次のように施工し、
イ．水切部材２の流水面２ｂの上段に、スタート部材５の嵌合辺５ａの底部を乗せて、
ロ．水切部材２の固定片２ａに、スタート部材５の取付辺５ｂを重ねて、釘打ち等により固定し、
ｈ．建築用パネル１を、
イ．固定したスタート部材５の嵌合間隙５ｃに、建築用パネル１の差込片１ｄを差し込み、その釘打片１ｇを釘打ち等により固定し、
ロ．固定した建築用パネル１の嵌合溝１ｆに、他の建築用パネル１の差込片１ｄを差込み、その釘打片１ｇを釘打ち等により固定し、
ハ．上記を繰り返して、前記の建築用パネル１を複数施工し、
ニ．未施工の壁面が建築用パネル１の幅以下になったとき、次のように、切断した建築用パネル１を施工し、
○前記の施工した見切縁４に入り、その上辺４ｅとの間に隙間を開けた幅に切断し、
○その建築用パネル１の差込片１ｄを、固定した建築用パネル１の嵌合溝１ｆに差し込み、
○その前面基部１ｂを釘打ち等により固定し、
ｉ．上記の施工により、外気と壁面内においての空気の流れである、通気流９は、次のように流れ、
イ．施工された建築用パネル１が、太陽光等により加熱され、胴縁６ｄと他の胴縁６ｄと、建築用パネル１と防水紙６ｅとにより区切られる、空間内の空気が加熱されて軽くなり、壁面内に上方への通気流９が発生し、
ロ．その上方への通気流９により、見切縁４の通気孔４ｃから、壁面外に排出する通気流９を発生し、
ハ．また壁面内の上方への通気流９を補い、シール部材３の吸気口３ｊから、壁面内に流れ込む通気流９が発生する。
【００４９】
【発明の効果】
上記のような、この発明による壁部材と壁構造には、次の様な効果がある。
【００５０】
Ａ．通気機能を持つ部材と基礎及び壁面との隙間を、シール機能により閉塞する壁部材とする為に、
ａ．シールの施工スペース上の制約が無くなり、
イ．施工容易になり、
ロ．通気機能の部材、あるいは下地等による制約が無くなり、
○通気機能が向上し、
ｂ．防水紙あるいは、それに接続する水切シールを基礎の前面上部まで施工可能になり、
イ．胴縁と防水紙を伝う雨水等が、土台等の下地を濡らす問題が解消する。
【００５１】
Ｂ．通気機能を持つ部材に嵌合するシール部材の場合、
ａ．シール部材の幅を変えることにより、基礎と土台との多様な関係に、対応可能になり、
イ．製品種類を少なく出来る。
【００５２】
Ｃ．土台に取り付けられて基礎前面の上部を覆う、シール部材の場合、
ａ．防水紙が施工途中にめくれ上がり、切れる等の問題が無くなる。
【００５３】
Ｄ．通気機能を持つ部材が、上方からの雨水等を壁面外に流す、水切機能を持つ部材である場合、
ａ．部材種類を少なく出来る。
【００５４】
Ｅ．通気機能を持つ部材を折り曲げたシール片の部材の場合、
ａ．部材の構成が単純になり、
イ．製造が容易になり、
ロ．梱包等にスペースを取らなくなる。
【００５５】
Ｆ．水切機能を持つ部材と、通気機能を持つ部材とを組み合わせる場合は、
ａ．それぞれに、最適な部材を選択可能になる。
【００５６】
Ｇ．通気機能を持つ部材と、建築用パネルとの間に挿入する、見切シールの場合は、
ａ．建築用パネルとの隙間から、建築用パネルの切断面を隠し、美観を向上し、
ｂ．建築用パネルの前面基部の釘打ちを隠し、美観を向上する。
【００５７】
Ｈ．通気機能を持つ部材を折り曲げたシール辺と、それに施工される建築用パネルとによる場合、
ａ．建築用パネルが通気機能を遮る事が無くなり、
イ．施工性が向上する。
【００５８】
Ｉ．この発明による、壁部材を使用する壁構造とする場合は、
ａ．良好な通気工法の壁構造となる。
【図面の簡単な説明】
【図１】実施例１の施工状態を示す一部省略斜視図
【図２】実施例１の施工状態を示す一部省略端面図
【図３】実施例１の施工状態を示す一部省略端面図
【図４】実施例１の水切部材を示す一部省略斜視図
【図５】実施例１のシール部材を示す一部省略斜視図
【図６】実施例１の見切縁を示す一部省略斜視図
【図７】実施例１〜５のスタート部材を示す一部省略斜視図
【図８】実施例１〜５の建築用パネルを示す一部省略斜視図
【図９】実施例２の施工状態を示す一部省略斜視図
【図１０】実施例２の施工状態を示す一部省略端面図
【図１１】実施例２の施工状態を示す一部省略端面図
【図１２】実施例２の水切部材を示す一部省略斜視図
【図１３】実施例２の水切シールを示す一部省略斜視図
【図１４】実施例２の見切縁を示す一部省略斜視図
【図１５】実施例３の施工状態を示す一部省略斜視図
【図１６】実施例３の施工状態を示す一部省略端面図
【図１７】実施例３の施工状態を示す一部省略端面図
【図１８】実施例３の水切部材を示す一部省略斜視図
【図１９】実施例３の水切シールを示す一部省略斜視図
【図２０】実施例３の見切縁を示す一部省略斜視図
【図２１】実施例４の施工状態を示す一部省略斜視図
【図２２】実施例４の施工状態を示す一部省略端面図
【図２３】実施例４の施工状態を示す一部省略端面図
【図２４】実施例４の水切部材を示す一部省略端面図
【図２５】実施例４の水切シールを示す一部省略端面図
【図２６】実施例４の見切縁を示す一部省略斜視図
【図２７】実施例５の施工状態を示す一部省略端面図
【図２８】実施例５の施工状態を示す一部省略斜視図
【図２９】実施例５の施工状態を示す一部省略端面図
【図３０】実施例５の水切部材を示す一部省略端面図
【図３１】実施例５の水切シールを示す一部省略斜視図
【図３２】実施例５の見切縁を示す一部省略斜視図
【図３３】実施例１の見切シールを示す一部省略斜視図
【図３４】実施例２の見切シールを示す一部省略斜視図
【符号の説明】
１　建築用パネル
２　水切部材
３　シール部材
４　見切縁
５　スタート部材
６　下地
７　金属板
８　合成樹脂
９　通気流
【図１】
2004137868.tif 000003
【図２】
2004137868.tif 000004
【図３】
2004137868.tif 000005
【図４】
2004137868.tif 000006
【図５】
2004137868.tif 000007
【図６】
2004137868.tif 000008
【図７】
2004137868.tif 000009
【図８】
2004137868.tif 000010
【図９】
2004137868.tif 000011
【図１０】
2004137868.tif 000012
【図１１】
2004137868.tif 000013
【図１２】
2004137868.tif 000014
【図１３】
2004137868.tif 000015
【図１４】
2004137868.tif 000016
【図１５】
2004137868.tif 000017
【図１６】
2004137868.tif 000018
【図１７】
2004137868.tif 000019
【図１８】
2004137868.tif 000020
【図１９】
2004137868.tif 000021
【図２０】
2004137868.tif 000022
【図２１】
2004137868.tif 000023
【図２２】
2004137868.tif 000024
【図２３】
2004137868.tif 000025
【図２４】
2004137868.tif 000026
【図２５】
2004137868.tif 000027
【図２６】
2004137868.tif 000028
【図２７】
2004137868.tif 000029
【図２８】
2004137868.tif 000030
【図２９】
2004137868.tif 000031
【図３０】
2004137868.tif 000032
【図３１】
2004137868.tif 000033
【図３２】
2004137868.tif 000034
【図３３】
2004137868.tif 000035
【図３４】
2004137868.tif 000036